(57)【要約】      （修正有）【課題】カーテンレールの上にたまった埃を飛散させることなく、確実に除去できるカーテンレール清掃装置を提供する。【解決手段】カーテンレールに摺動可能に係合する本体２と、集塵クリーナの吸い込み口に連結されるパイプ３とからなり、本体が、カーテンレールをその側面から挿入できる開口部２aと、カーテンレールがはまってカーテンレールの長手方向に本体を案内するガイド溝２bと、ガイド溝の底面に設けられた孔と、孔からパイプに通じる空気流通路と、ガイド溝の内側に、ガイド溝に対して振動可能に取り付けられたブラシ４と、ブラシに微振動を与える微振動発生器５とを備える。さらにブラシが、本体のガイド溝の底面に設けられた孔に向き合う孔を有し、カーテンレールの外側に接触する短い植毛を有する短毛部と、カーテンレールの上側のスリットに入り込む長い植毛を有する長毛部とを備える。【選択図】図１
0003109804.tif 000002
【実用新案登録請求の範囲】
【請求項１】
上側に溝を有するカーテンレールの長手方向に、摺動自在に案内される本体と、集塵クリーナの吸い込み口に連結されるパイプとからなり、
前記本体に、
前記カーテンレールの長手方向に直角な方向から該カーテンレールを挿入できる開口部と、
前記本体の上部に位置し下方に向かって開口しており、前記カーテンレールの上側にはまって該カーテンレールの長手方向に前記本体を案内するガイド溝と、
前記ガイド溝の底面に設けられた孔と、
該孔から前記パイプに通じる空気流通路と
が形成され、
前記本体が、
前記ガイド溝の内側に、前記本体に対して振動可能に取り付けられたブラシと、
前記ブラシに微振動を与える微振動発生器と
を備えるカーテンレール清掃装置。
【請求項２】
前記微振動発生器が、
電動機と、
該電動機の回転軸にとりつけられ、重心が該回転軸から偏心した偏心おもりと、
該電動機に固定され、前記ブラシに接触する振動伝達体と
からなる請求項１記載のカーテンレール清掃装置。
【請求項３】
前記ブラシが、
前記カーテンレールの断面を囲うように、断面がほぼコ字形状であり、
前記本体のガイド溝の底面に設けられた孔に向き合う孔を有し、
前記カーテンレールの外側に接触する短い植毛を有する短毛部と、
前記カーテンレールの上側のスリットに入り込む長い植毛を有する長毛部と
を備える請求項１記載のカーテンレール清掃装置。
【請求項４】
前記本体の前記ガイド溝に対向する前記開口部の下面に、前記パイプに通じる空気流通路に連通する穴を有する請求項１記載のカーテンレール清掃装置。
【考案の詳細な説明】
【技術分野】
【０００１】
本考案はカーテンを吊るすカーテンレールを清掃するための、カーテンレール清掃装置に関する。さらに詳しくは、カーテンレールの上側の溝にたまった埃を清掃するためのカーテンレール清掃装置に関する。
【背景技術】
【０００２】
図５および６は、仕切りカーテン（図示せず）を吊るすカーテンレールの一例を示す。たとえば病院の病室において、病床の仕切りとなるカーテンを吊るしたり、診察室の仕切りとしてカーテンを吊るす場合に多く用いられる。以下、本考案では図５および６に示すような、天井または壁面から支持するために上側に溝を有するカーテンレールを中吊レールという。
【０００３】
従来、中吊レール１０の上の溝１０ａ（図６参照）を清掃するための専用の器具はなく、中吊レール１０の上部にたまった埃を清掃するには、集塵クリーナの吸い込みパイプの先にブラシを取り付けて、中吊レール１０の上をブラシで掃くようにして埃を吸引するか、踏み台や脚立の上に乗ってブラシで掃いたり雑巾で拭いたりしている。集塵クリーナの吸い込みパイプの先にブラシを取り付けて、中吊レール１０の上をブラシで掃くようにして埃を吸引する場合でも、埃が飛散することは避けられず、前記いずれの方法でも、清掃すると埃が飛散し、下に落ちてはなはだ不衛生である。また、中吊レール１０の溝１０ａにたまった埃は取り除くことが難しい。
【０００４】
中吊レール１０は天井近くの高い場所に設置されており、前記いずれの方法でも踏み台や脚立に乗って作業しなければならず、簡単には清掃できないので、中吊レール１０の埃は放置されることが多い。中吊レール１０にたまった埃が空調機や換気扇などの風によって、あるいはカーテンを開閉するときの振動などで落ちてくるので、下にいる者にとって極めて不衛生である。特に病院の仕切りカーテンの場合は、中吊レール１０の下に患者が居ることが多く、その場で診療を受けたり食事を摂ったりするので、患者への影響が大きい。そして、中吊レール１０にたまった埃が病原菌が繁殖する温床となる。
【考案の開示】
【考案が解決しようとする課題】
【０００５】
本考案の目的は、カーテンレールの上にたまった埃を飛散させることなく、確実に除去できるカーテンレール清掃装置を提供することである。さらに、カーテンレールの上側の溝にたまった埃を除去し、しかも踏み台や脚立にのって作業をする必要のない中吊レール清掃装置を提供することを目的とする。
【課題を解決するための手段】
【０００６】
本考案のカーテンレール清掃装置は、上側に溝を有するカーテンレールの長手方向に摺動自在に案内される本体と、集塵クリーナの吸い込み口に連結されるパイプとからなり、前記本体に、前記カーテンレールの長手方向に直角な方向から該カーテンレールを挿入できる開口部と、前記本体の上部に位置し下方に向かって開口しており、前記カーテンレールの上側にはまって該カーテンレールの長手方向に前記本体を案内するガイド溝と、前記ガイド溝の底面に設けられた孔と、該孔から前記パイプに通じる空気流通路とが形成され、前記本体が、前記ガイド溝の内側に、前記本体に対して振動可能に取り付けられたブラシと、前記ブラシに微振動を与える微振動発生器とを備えることを特徴とする。
【０００７】
また、本考案のカーテンレール清掃装置は、前記微振動発生器が、電動機と、該電動機の回転軸にとりつけられ、重心が該回転軸から偏心した偏心おもりと、該電動機に固定され、前記ブラシに接触する振動伝達体とからなることを特徴とする。
【０００８】
さらに、本考案のカーテンレール清掃装置は、前記ブラシが、前記カーテンレールの断面を囲うように、断面がほぼコ字形状であり、前記本体のガイド溝の底面に設けられた穴に向き合う孔を有し、前記カーテンレールの外側に接触する短い植毛を有する短毛部と、前記カーテンレールの上側のスリットに入り込む長い植毛を有する長毛部とを備えることが好ましい。
【０００９】
またさらに、前記本体の前記ガイド溝に対向する前記開口部の下面に、前記パイプに通じる空気流通路に連通する穴を有することが好ましい。
【考案の効果】
【００１０】
本考案のカーテンレール清掃装置は、カーテンレールの上側の溝にたまった埃を、飛び散らせることなく集塵クリーナで吸い込み、カーテンレールの上側の溝の中まで清掃することができる。また、踏み台や脚立に乗って作業することなく、カーテンレールを清掃することができる。
【考案を実施するための最良の形態】
【００１１】
本考案の一実施の形態について、図を参照しながら詳しく説明する。図１は本考案の一実施の形態にかかわる中吊レール清掃装置の外観斜視図である。図２は、図１の中吊レール清掃装置の中吊レールの長手方向に直角な断面図である。図３は、図１の中吊レール清掃装置のブラシの斜視図であり、図３（ａ）は中吊レールの上側から見た図、図３（ｂ）は下側から見た図である。図３（ｃ）は、中吊レール清掃装置のブラシのなかの、中吊レールの上面に接する部分の斜視図である。図４は、図１の中吊レール清掃装置の微振動発生器の外観斜視図である。
【００１２】
図１において、中吊レール清掃装置１は本体２と、集塵クリーナの吸い込み口（図示せず）に連結されるパイプ３とからなる。本体２は中吊レール１０を側面から挿入する開口部２ａが形成されている。中吊レール１０は固定されているので、実質的には本体２の開口部２ａから中吊レール１０の側面に中吊レール清掃装置１がはめ込まれる。本体２の上部には、中吊レール１０がはまって、中吊レール清掃装置１を中吊レール１０の長手方向に案内するガイド溝２ｂが形成されている。本体２のガイド溝２ｂの底面、すなわち本体２の内側上部には、パイプ３と空気流通路２ｄによってつながっている孔２ｃが設けられている。本体２の開口部２ａの下側の面には、空気流通路２ｄにつながる別の穴２ｅが設けられており、通常は穴２ｅが蓋９でふさがれている。
【００１３】
ガイド溝２ｂの内側には、ブラシ４が本体２に対して振動可能なように取り付けられている。ブラシ４を本体２に振動可能にとりつけるには、たとえば先端が膨らんだ突起をガイド溝側に設け、突起の軸に対してすき間のある孔をブラシ側に設けて、孔を突起にはめ込むことによって可能である。
【００１４】
ブラシ４は、図３に示すように、断面がコ字形状の枠の内側に植毛が形成されている。ブラシ４の中央には、本体２の孔２ｃに対向する孔４ａが形成されている。ブラシ４の内側の植毛には、中吊レール１０の外側に接する部分に短い植毛からなる短毛部４ｂと、中吊レール１０の上の溝１０ａ（図６参照）にはまる位置に長い植毛からなる長毛部４ｃとが形成されている。植毛の材質としては、たとえば軟質塩化ビニル、ポリスチレンまたは羊毛などを用いることができる。
【００１５】
本体２の上部には、微振動発生器５が取り付けられている。微振動発生器５は、図４に示すように、電動機６の回転軸６ａに、重心が回転軸６ａから偏った偏心おもり７が固定されている。微振動発生器５の電動機６は振動伝達体８に固定されている。振動伝達体８は弾性体、たとえばバネややわらかいゴムなどを介して本体２に取り付けられている。また、振動伝達体８はガイド溝２ｂに通じる穴２ｆを通ってブラシ４に接している。微振動発生器５の電動機６は、本体２に設けられた電池（図示せず）にスイッチを介して接続されている。電動機６のリード線６ｂをパイプ３に沿わせて、スイッチを集塵クリーナの吸い込み口との連結部分付近に設けてもよい。
【００１６】
電動機６としては、たとえば固定子が永久磁石である小型の直流電動機を用いることができる。電動機６に電力を供給する方法として、電動機６のリード線６ｂをパイプ３に沿わせて配線し、集塵クリーナの吸い込み口との接続部分に電源（電池またはＡＣアダプタ）を設けて接続してもよい。あるいは、集塵クリーナの吸い込み口に集塵クリーナから電動機６に電力を供給する端子（メス側）を設けて、パイプ３の端部に設けた端子（オス側）が接続されるようにして、そこから電動機６に電力を供給してもよい。
【００１７】
つぎに、本考案の一実施の形態にかかわる中吊レール清掃装置１を使用する方法と、その作用を説明する。
【００１８】
中吊レール清掃装置１のパイプ３を集塵クリーナの吸い込み口に連結する。開口部２ａを中吊レール１０の側面に合わせ、開口部２ａから中吊レール清掃装置１の本体２を中吊レール１０にはめて、中吊レール装置を下に移動し、ガイド溝２ｂに中吊レール１０がはまり込むようにする。
【００１９】
微振動発生器５と集塵クリーナのスイッチを入れて吸入を開始し、中吊レール清掃装置１を中吊レール１０に沿わせて移動させると、中吊レール１０の上面にたまった埃が、ブラシ４の孔４ａを通って、本体２のガイド溝２ｂに設けられた孔２ｃから吸い込まれ、空気流通路２ｄとパイプ３を経て集塵クリーナに吸い取られる。
【００２０】
微振動発生器５の電動機６が回転すると、偏心おもり７が回転軸６ａのまわりに振れまわり、偏心おもり７の回転の反力によって電動機６が振動する。電動機６の振動が振動伝達体８によってブラシ４に伝わり、ブラシ４が微振動する。中吊レール清掃装置１と中吊レール１０はブラシ４の植毛で接しており、ブラシ４は微振動しているので、中吊レール装置はなめらかに移動できる。植毛によって中吊レール清掃装置１と中吊レール１０との間隔が保たれているので、本体が集塵クリーナの吸引力で中吊レール１０に吸い付いてしまうことがない。また、ブラシ４の微振動によって、中吊レール１０の埃がこすり取られて、集塵クリーナに吸い込まれる。
【００２１】
ブラシ４の長毛部４ｃが中吊レール１０の上側の溝１０ａ（スリット）に入り込み、中吊レール１０の溝１０ａの底面の埃をこすり取る。また、中吊レール清掃装置１の両側から中吊レール１０の上側の溝１０ａに入った空気の流れは、長毛部４ｃによって中吊レール１０の上側の溝断面の一部が塞がれることによって狭くなったすきまを通るので、長毛部４ｃが当らない部分の空気流速が大きくなり、その部分の埃が吹き飛ばされて、孔２ｃから吸い込まれる。
【００２２】
こうして、中吊レール１０の上面にたまった埃は、溝１０ａのなかの埃も含めて、飛散することなく集塵クリーナに吸い込まれる。
【００２３】
中吊レール１０を吊下げている金具１０ｂまで中吊レール清掃装置１を移動したら、中吊レール清掃装置１を少し上に持ち上げて開口部２ａを通して中吊レール１０からはずし、吊下げ金具１０ｂを越えて再び中吊レール１０にはめて残りの部分を清掃する。作業者は踏み台や脚立に乗ることなく、床面に立って移動するだけなので、踏み台などに乗り降りする手間がなく、連続して清掃作業を行なうことができる。また、踏み台などに乗り降りする際の危険がなく、安全である。
【００２４】
中吊レール清掃装置１の開口部２ａの下面に設けた穴２ｅの蓋９をはずして、中吊レールの下側から空気を吸い込むようにすることによって、中吊レール１０の下面を清掃することも可能である。その場合、開口部２ａの下面を中吊レール１０に押し付けるようにすると効果的である。
【００２５】
本実施の形態では、中吊レールの下面を清掃できるように、中吊レール清掃装置１の本体２の断面をほぼＣ字形状としたが、本体の断面が逆Ｊ字形状となるようにしてもよい。本体の断面を逆Ｊ字形状とした場合は、中吊レール１０の下面を清掃することは困難であるが、中吊レール清掃装置１に中吊レール１０を挿入するところが作業者から見やすいので、中吊レールの上側の清掃作業がやりやすい。
【００２６】
本実施の形態では、電動機６の回転軸６ａに偏心おもり７を取り付けた微振動発生器５を用いたが、微振動発生器としては電動機６と偏心おもり７の構成に限らず、つぎのような機構を用いることができる。たとえば、電磁石でベルを鳴動させるのと同じ原理で振動を発生させることができる。これは、電磁石と該電磁石の電流回路の一部をなす接点と、電磁石が通電されたときに、電磁石にひきつけられる磁性体と、その磁性体を接点が接触する方向に付勢するばねとからなり、電磁石に磁性体がひきつけられたときに前記接点が離れるように構成したものである。磁性体の振動をブラシに伝えることによって、ブラシを振動させることができる。
【００２７】
また、クランクを電動機の軸にとりつけ、クランクの先に案内溝が形成された板（振動伝達体）をはめて、その板を振動させてもよい。そのほか、往復動するリニアモータを使用して、ブラシを振動させてもよい。
【図面の簡単な説明】
【００２８】
【図１】本考案の一実施の形態にかかわる中吊レール清掃装置の外観斜視図である。
【図２】図１の中吊レール清掃装置の断面図である。
【図３】図１の中吊レール清掃装置のブラシの斜視図であり、（ａ）は上側から見た斜視図、（ｂ）はブラシ側から見た斜視図、（ｃ）は中吊レールの上面に接する部分の斜視図である。
【図４】図１の中吊レール清掃装置の微振動発生器の外観斜視図である。
【図５】中吊レールの一例を示す図であり、（ａ）は正面図、（ｂ）は側面図、
【図６】中吊レールの一例の断面図である。
【符号の説明】
【００２９】
１    中吊レール清掃装置
２    本体
２ａ  開口部
２ｂ  ガイド溝
２ｃ  孔
２ｄ  空気流通路
２ｅ  穴
３    パイプ
４    ブラシ
４ａ  孔
４ｂ  短毛部
４ｃ  長毛部
５    微振動発生器
６    電動機
６ａ  回転軸
６ｂ  リード線
７    偏心おもり
８    振動伝達体
９    蓋
１０    中吊レール
１０ａ  溝
【図１】
0003109804.tif 000003
【図２】
0003109804.tif 000004
【図３】
0003109804.tif 000005
【図４】
0003109804.tif 000006
【図５】
0003109804.tif 000007
【図６】
0003109804.tif 000008